【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
工業プロセス制御用のパフォーマンス監視及び分析のシステムであって、前記システムが、
ユーザ制御部のセットと、ユーザがデータモデルを表すデータダイアグラムを作成し、前記データダイアグラムをコンパイルして入力データセットに対し実行して出力データを生成することができるキャンバスとを含むプラットフォームであって、前記入力データセットが、プロセスを制御しているオンラインプロセスプラントから得られた時系列データを含む、プラットフォームを備え、
前記データダイアグラムが、ワイヤのセットで相互接続されたデータブロックのセットを含み、このワイヤのセットを介してデータがデータブロック間で移送され、
前記データブロックのセットの各データブロックが、それぞれのデータオペレーションに対応し、それぞれの入力データを前記データブロックで受信する入力コネクタと、それぞれのデータオペレーションを前記それぞれの入力データに対し実施する前記データブロックから得られたそれぞれの出力データを提供する少なくとも１つの出力コネクタとを含み、
前記入力データセットが、前記データブロックのセットの第１のデータブロックの前記入力コネクタで受信され、
前記データブロックのセットのうちの少なくとも１つのデータブロックの、前記それぞれのデータオペレーションが、データ分析機能を含み、
前記データダイアグラムの第１の部分及び第２の部分が、非同期的かつ別個にコンパイル可能であり、実行可能である、システム。
【請求項２】
各データブロックが、非同期的かつ別個にコンパイル可能である、請求項１に記載のシステム。
【請求項３】
前記データモデルによって生成された前記出力データが、少なくとも１つの予測値を含み、
前記少なくとも１つの予測値が、前記オンラインプロセスプラントの少なくとも一部分のパフォーマンスの予測レベルを示すか、前記オンラインプロセスプラントの少なくとも一部分の予測される故障または破損を示すか、あるいは予測される時間間隔を示す、請求項１又は請求項２に記載のシステム。
【請求項４】
前記データモデルによって生成された前記出力データが、規定的であり、前記オンラインプロセスプラントに対する変化に対応する少なくとも１つの値を含み、前記オンラインプロセスプラントに対する前記変化が、設定点、値、制御ループ、構成、プロセスモデル、接続、構成要素、または設備の一部のうちの少なくとも１つに対する変化を含む、請求項１〜請求項３の何れか１項に記載のシステム。
【請求項５】
前記ユーザ制御部のセットが、複数のデータオペレーションに対応する複数のデータブロック定義を記憶するデータブロック定義ライブラリにアクセスする、第１のユーザ制御部を含み、前記データダイアグラムの前記データブロックのセットの前記データブロックのうちの１つ以上の各々が、前記データブロック定義ライブラリ内に記憶された特定のデータブロック定義の具体的なインスタンスである、請求項１〜請求項４何れか１項に記載のシステム。
【請求項６】
前記ユーザ制御部のセットが、複数のデータオペレーションに対応する複数のデータブロック定義を記憶するデータブロック定義ライブラリにアクセスする、第１のユーザ制御部を含み、前記データブロック定義ライブラリ内に記憶された少なくとも一部の前記データブロック定義のうちの各々が、１つ以上のそれぞれのプロパティを含み、
前記１つ以上のそれぞれのプロパティのうちの少なくとも１つの値が、デフォルト値である、請求項１〜請求項５の何れか１項に記載のシステム。
【請求項７】
第２のユーザ制御部が、アクティブ化された場合、前記データダイアグラムの少なくとも一部の評価をもたらす、請求項１〜請求項６の何れか１項に記載のシステム。
【請求項８】
前記データダイアグラムの前記少なくとも一部の前記評価が、前記データダイアグラムの前記少なくとも一部のコンパイルと、前記データダイアグラムの前記少なくとも一部の前記コンパイルの実行とを含む、請求項７に記載のシステム。
【請求項９】
前記データダイアグラムの前記データブロックのセットが、以下の、データソースデータブロック、フィルタデータブロック、トランスフォーマデータブロック、ビジュアリゼーションデータブロック、データコンシューマデータブロック、または別の種類のデータブロックのうちの１つ以上を含み、
前記データソースデータブロックの前記それぞれのデータオペレーションが、前記入力データセットを獲得することに対応するか、
前記フィルタデータブロックの前記それぞれのデータオペレーションが、前記フィルタデータブロックの前記それぞれの入力データをフィルタリングすることを含むか、
前記トランスフォーマデータブロックの前記それぞれのデータオペレーションが、前記トランスフォーマデータブロックの前記それぞれの入力データをクリーンにすること、前記トランスフォーマデータブロックの前記それぞれの入力データの内容を操作すること、前記トランスフォーマデータブロックの前記それぞれの入力データの内容を整合すること、または前記トランスフォーマデータブロックの前記それぞれの入力データに１つ以上の分析技法を実施することのうちの少なくとも１つを含むか、
前記ビジュアリゼーションデータブロックの前記それぞれのデータオペレーションが、前記ビジュアリゼーションデータブロックの前記それぞれの入力データの特定の視覚的表現を、前記プラットフォームのユーザインターフェイスに呈示することを含むか、あるいは
前記データコンシューマデータブロックの前記それぞれのデータオペレーションが、前記データモデルの前記出力データにアクションを実施することを含み、前記アクションが、前記データモデルの前記出力データのコンシューマに対応するかのうちの少なくとも１つである、請求項１〜請求項８の何れか１項に記載のシステム。
【請求項１０】
前記データモデルの前記出力データの前記コンシューマが、分析アプリケーション、別の種類のアプリケーション、分散型データエンジン（ＤＤＥ）、データヒストリアン、ファイル、前記プラットフォームの前記ユーザインターフェイス、または別のユーザインターフェイスのうちの少なくとも１つを含む、請求項９に記載のシステム。
【請求項１１】
前記別の種類のデータブロックが、探査データブロックを含み、
前記探査データブロックが、第１の他のデータブロックから予測値を受信する第１の入力コネクタと、第２の他のデータブロックから実測値を受信する第２の入力コネクタとを含み、
前記探査データブロックによって実施される前記それぞれのオペレーションが、前記予測値と前記実測値との比較を含む、請求項９又は請求項１０に記載のシステム。
【請求項１２】
前記データダイアグラムの前記ワイヤのセットのうちの少なくとも１本のワイヤが、それぞれのデータブロックを、前記時系列データが記憶されるオフラインデータソースに接続し、前記オフラインデータソースが、ファイル、プロセス制御データベース、及び分析データベース、または別の種類のデータベースのうちの少なくとも１つを含む、請求項１〜請求項１１の何れか１項に記載のシステム。
【請求項１３】
前記データダイアグラムの各データブロックが、前記それぞれのデータブロックのそれぞれのブロック状態の指標、前記それぞれのデータブロックのアイデンティティの指標、及び前記それぞれのデータブロックの評価の結果の指標を含み、前記それぞれのデータブロックの前記評価が、前記それぞれのデータブロックのコンパイルと、前記それぞれのデータブロックの前記コンパイルの実行とを含む、請求項１〜請求項１２の何れか１項に記載のシステム。
【請求項１４】
前記データダイアグラムの各データブロックが、前記それぞれのデータブロックの、それぞれの受信した入力データの時間整合を実施する、請求項１〜請求項１３の何れか１項に記載のシステム。
【請求項１５】
前記データダイアグラムが、オフラインデータダイアグラムであり、
第３のユーザ制御部が、アクティブ化された場合、前記データモデルの前記オフラインデータダイアグラムの、前記データモデルのオンラインデータダイアグラムへの転換をもたらし、前記データモデルの前記オンラインデータダイアグラムが、前記オンラインプロセスプラントと通信可能に接続されるように構成される、請求項１〜請求項１４の何れか１項に記載のシステム。
【請求項１６】
前記オンラインデータダイアグラムのデータブロックのセット及びワイヤのセットが、前記オフラインデータダイアグラムの前記データブロックのセット及び前記ワイヤのセットとは異なる、請求項１５に記載のシステム。
【請求項１７】
第４のユーザ制御部のアクティブ化が、前記オンラインデータダイアグラムの展開をもたらし、
前記オンラインデータダイアグラムの前記展開が、前記オンラインデータダイアグラムのコンパイルと、前記オンラインデータダイアグラムの前記コンパイルを実行して、前記データモデルのオンラインデータ分析モジュールを生成することとを含む、請求項１５に記載のシステム。
【請求項１８】
前記オンラインデータ分析モジュールが、前記オンラインプロセスプラントのデータ分析ネットワークの複数の分散型データエンジン（ＤＤＥ）のうちの、１つ以上のＤＤＥによって実行される、請求項１７に記載のシステム。
【請求項１９】
前記オンラインプロセスプラントと通信可能に接続する、前記オンラインデータダイアグラムの前記構成が、前記オンラインデータダイアグラムの、前記プロセスを制御する前記オンラインプロセスプラントから得られた前記時系列データを生成するライブデータソースへのバインディングを含む、請求項１５に記載のシステム。
【請求項２０】
前記ライブデータソースによって生成された前記時系列データが、前記オンラインプロセスプラントのデータ分析ネットワークを介して、オンラインデータ分析モジュールにおいて、リアルタイムで連続的に受信される連続データストリームを含み、前記オンラインデータ分析モジュールが、前記データモデルの前記オンラインデータダイアグラムのコンパイルから生成される、請求項１９に記載のシステム。
【請求項２１】
前記連続データストリームが、前記データ分析ネットワークの複数の分散型データエンジン（ＤＤＥ）のうちのあるＤＤＥから、前記オンラインデータ分析モジュールにおいて連続的に受信される、請求項２０に記載のシステム。
【請求項２２】
前記オンラインデータ分析モジュールが、前記連続的に受信されるデータストリームに、リアルタイムで１つ以上の分析機能を実施し、リアルタイムで連続出力を生成する、請求項２０又は請求項２１に記載のシステム。
【請求項２３】
前記データモデルの精度の指標が、前記データモデルに対応する、前記オンラインデータ分析モジュールの前記連続出力と併せて、ユーザインターフェイスに表示され、前記データモデルの前記精度が、前記オンラインデータ分析モジュールの前記連続出力と、前記オンラインプロセスプラントによって生成された１つ以上の実測値との比較に基づく、請求項２２に記載のシステム。
【請求項２４】
前記オンラインデータ分析モジュールが、前記連続的に受信されるデータストリーム及び別のデータストリームに前記１つ以上の分析機能を、リアルタイムで連続的に実施し、前記別のデータストリームが、前記オンラインプロセスプラントによる前記プロセスの制御の結果として少なくとも１つの他のデータソースによって生成される、請求項２２又は請求項２３に記載のシステム。
【請求項２５】
前記オンラインデータ分析モジュールが、前記連続的に受信されるデータストリーム及び前記別のデータストリームを時間整合する、請求項２４に記載のシステム。